(57)【要約】【課題】畳や床の表面を傷付けることなく、長時間座っていても脚の痺れや腰痛を軽減することができるとともに、ソフトな座り心地を実現することのできる座布団を提供する。【解決手段】本考案の座布団１は、座布団本体２と、座布団本体２の上面に形成された球面状凸部１０とを備える。前記球面状凸部１０は、伸縮性を有するカバー材１１と、カバー材１１内に収容された、０．１〜８．０ｍｍの径を有する小粒状の発泡ビーズ１２とからなる。【選択図】図１
0003163626.tif 000002
【実用新案登録請求の範囲】
【請求項１】
座布団本体と、該座布団本体の上面に形成された球面状凸部とを備え、前記球面状凸部が、カバー材と、該カバー材内に収容された小粒状の発泡ビーズとからなることを特徴とする座布団。
【請求項２】
前記カバー材が、伸縮性を有する素材にて形成されている請求項１記載の座布団。
【請求項３】
前記発泡ビーズが、０．１〜８．０ｍｍの径にて形成されている請求項１または２記載の座布団。
【考案の詳細な説明】
【技術分野】
【０００１】
本考案は、長時間座っていても脚の痺れや腰痛が軽減されるとともに、ソフトな座り心地を実現できる座布団に関する。
【背景技術】
【０００２】
床や畳の上に座る際、通常臀部や脚の下には座布団が敷設される。一般的な座布団は、適宜厚さを有する矩形状を呈しており、カバー材の中には、緩衝用として綿やスポンジ等の中材が収容されている。座布団に座る座方として、膝を揃えた正しい姿勢で座る正座や、脚を先方で組んで座る胡坐などがある。
【０００３】
しかしながら、正座や胡坐の姿勢で長時間座っていると、たとえ座布団があっても膝や足首に体重が集中して脚が痺れてしまうことは避けられなかった。また、腰部にも負担が掛かり腰痛を引き起こすという問題もあった。
【０００４】
これらの問題を解消するために、正座用補助いすを座布団の上で安定した状態で使用できる座布団が提案されている（例えば、特許文献１参照）。
上掲特許文献１記載の座布団は、正座用補助いすの脚を通すための透孔を穿設するとともに、該透孔として、細長い孔を十文字状にあけたものである。
【０００５】
また、膝から下の部分に体重が掛かるのを無くし、座った姿勢が、背筋が伸びた良い姿勢になる半座布団も提案されている（例えば、特許文献２参照）。
上掲特許文献２記載の座つき半座布団は、柔らかい座布団の下に、固めの材質で出来た座を設けたことを特徴としている。
【先行技術文献】
【特許文献】
【０００６】
【特許文献１】登録実用新案第３０３３１２０号公報（特許請求の範囲等）
【特許文献２】特開２００２−３３６０８２号公報（特許請求の範囲等）
【考案の概要】
【考案が解決しようとする課題】
【０００７】
しかしながら、上掲特許文献１に記載された座布団は、座布団に孔を穿設する加工、またその孔に正座用補助いすを挿入する作業等が必要となり、使用方法や操作が煩わしいといった問題があった。また、座布団と正座用補助いすとをそれぞれ別部材として製造しなければならず、コストや管理の面でも問題があった。
【０００８】
また、上掲特許文献２に記載された座つき座布団においては、着座時に、膝から下の部分に体重が掛かるのを無くすことができるが、座自体がプラスチック等の硬質部材で形成されているため、使用の際、座の底部で畳や床面に傷や凹みを与えてしまうという問題があった。
【０００９】
そこで本考案の目的は、上記問題を解消し、製造工程やコストの低減化の下、畳や床の表面を傷付けることなく、長時間座っていても脚の痺れや腰痛を軽減することができるとともに、ソフトな座り心地を実現することのできる座布団を提供することにある。
【課題を解決するための手段】
【００１０】
上記課題を解決するために、本考案の座布団は、座布団本体と、該座布団本体の上面に形成された球面状凸部とを備え、前記球面状凸部が、カバー材と、該カバー材内に収容された小粒状の発泡ビーズとからなることを特徴とするものである。
【００１１】
本考案の座布団においては、前記カバー材は、伸縮性を有する素材にて形成されていることが好ましい。
【００１２】
また、前記発泡ビーズは、０．１〜８．０ｍｍの径にて形成されていることが好ましい。
【考案の効果】
【００１３】
本考案の座布団によれば、座布団の上に正座、もしくは胡坐姿勢で着座した際、円形湾曲部が臀部や太股下方に隙間なく配置されるため、着座時における体重を理想的に分散させることができる。このため、長時間正座や胡坐姿勢を続けても、脚の痺れや腰部への負担を良好に軽減することができる。
【００１４】
また、発泡ビーズを収容するカバー材を伸縮性を有する素材にて形成し、さらに発泡ビーズを０．１〜８．０ｍｍの小径にて形成することにより、形状の変形性をより一層高めることができ、その結果、円形湾曲部が身体の微妙な凹凸部分に隙間なく配置され、より良好な効果を得ることができる。
【図面の簡単な説明】
【００１５】
【図１】本考案の第一実施形態における座布団の斜視図である。
【図２】図１に示す座布団の断面図である。
【図３】前記座布団に荷重を与えた状態の断面図である。
【図４】正座姿勢で着座した状態の断面図である。
【図５】胡坐姿勢で着座した状態の断面図である。
【考案を実施するための形態】
【００１６】
以下、本考案の座布団における実施の形態を図面に基づいて説明する。
【００１７】
図示する座布団１は、座布団本体２と、座布団本体２の上面に装着された球面状凸部１０とを備える。
【００１８】
座布団本体２は、一般的に汎用されているサイズ、例えば、縦と横の幅が５８ｃｍ、厚みが４．５ｃｍの矩形状とすることができる。座布団本体２は、綿等からなる側地３と、側地３の内部に収容されているウレタンフォームからなる中材４とからなる。かかる座布団本体２は、緩衝性を有する中材４と綿素材の側地３とからなるため、使用の際、畳や床面を傷付けることがない。
【００１９】
また、座布団本体２の上面には、球面状凸部１０が形成されている。球面状凸部１０は、平面視が円形であり、側面視が緩やかな山形の湾曲状に形成されている。
【００２０】
球面状凸部１０は、カバー材１１と、カバー材１１内に収容された小粒状の発泡
ビーズ１２とからなる。またカバー材１１の周縁は縫着部１３により前記座布団本体２の上面に装着されている。
【００２１】
また特に、カバー材１１は、伸縮性を有する素材、例えば、ポリエステル生地やポリウレタン生地にて形成されている。カバー材１１に伸縮性を有するポリエステル生地等を用いることで、肌触りが向上するとともに、小粒状の発泡ビーズ１２が球面状凸部１０内で自在に移動することができる。
【００２２】
前記発泡ビーズ１２は、好適にはポリスチレンを発泡剤にて膨らませ小球体に形成したもので、かかるビーズは軽量で緩衝性に優れた特性を有する。また、発泡ビーズ１２の大きさは特に限定されるものではないが、直径約０．１〜８．０ｍｍ程度とすることが好ましい。
【００２３】
発泡ビーズ１２を直径約０．１〜８．０ｍｍ程度の大きさとすることにより、発泡ビーズ１２がカバー材１１内でスムーズに移動できる。また、カバー材１１が伸縮性を有する生地とすることで、球面状凸部１０の形状変形性が高まり、球面状凸部１０の上に着座した際、臀部や太股等の微妙な凹凸部分に発泡ビーズ１２を隙間なく配置することができる。
【００２４】
次に、本考案の座布団における使用状態を図４および図５に基づいて説明する。
図４においては、本考案の座布団１に正座姿勢で着座した状態を示す。座布団１に正座すると、膝から足首にかけた部分が球面状凸部１０上に載置されるとともに、球面状凸部１０が臀部や太股下方の凹凸に隙間なく配置される。そのため、正座時に荷重が分散され、長時間正座姿勢を続けても、脚の痺れや腰部への負担を良好に軽減することができる。
【００２５】
図５においては、本考案の座布団１に胡坐姿勢で着座した状態を示す。座布団１に胡坐をすると、臀部や太股下部が球面状凸部１０上に載置されるとともに、球面状凸部１０が太股の内側や脹脛の凹凸部に隙間なく配置される。この場合も、胡坐時における荷重が分散され、長時間胡坐姿勢を続けても、脚の痺れや腰部への負担を良好に軽減することができる。
【００２６】
尚、本考案の座布団１においては、着座する姿勢が正座や胡坐に限定されるものではなく、結跏趺坐、女座り、体育座り、あひる座り等、さまざまな姿勢においても、同様の効果を得ることができる。
【符号の説明】
【００２７】
１  座布団
２  座布団本体
３  側地
４  中材
１０  球面状凸部
１１  カバー材
１２  発泡ビーズ
１３  縫着部
【図１】
0003163626.tif 000003
【図２】
0003163626.tif 000004
【図３】
0003163626.tif 000005
【図４】
0003163626.tif 000006
【図５】
0003163626.tif 000007